(57)【要約】【課題】瞬時に負荷端の電源需要に足る電力を供給すると共に、余分な電源を阻隔する能力を備え、電力損耗が低い使用効率を追求し、負荷を保護するという実用性と進歩性を達することができる、電源システムの安定装置の提供。【解決手段】本考案の電源システムの安定装置は、電路上に設置されたデバイスを保護するために用い不適切な使用により発生する温度から回路を保護する温度感知ユニットを含み、前記温度感知ユニットが電源制御に用いる電源制御ユニットに接続され、前記電源制御ユニットが電圧の最大値の制限に用いる電圧安定ユニットに接続され、前記電圧安定ユニット及び前記電源制御ユニットが電圧出力のショートまたは電源の逆接続時に保護するために用いる回路保護ユニットに接続され、上述の構成により、瞬時に負荷端の電源需要に足る電力を供給し、かつ余分な電源を阻隔する能力を備えている。【選択図】図１
0003154611.tif 000002
【実用新案登録請求の範囲】
【請求項１】
電源システムの安定装置であって、前記安定装置が発電機ユニットと電力ユニットの間に接続して設置され、前記安定装置の電路が、
電路上に設置されたデバイスの保護に用いられ、不適切な使用により発生する温度から回路を保護する温度感知ユニットと、
前記温度感知ユニットと接続され、かつ電源制御に用いる電源制御ユニットと、前記電源制御ユニットと接続され、かつ電圧の最大値を制限するために用いる電圧安定ユニットと、
前記電源制御ユニット及び前記電圧安定ユニットと接続され、かつ電圧出力のショートまたは電源の逆接続時に保護する回路保護ユニットを含むことを特徴とする、電源システムの安定装置。
【請求項２】
前記安定装置電路がさらに少なくとも１つの第１濾波ユニットと少なくとも１つの第２濾波ユニットを含むことを特徴とする、請求項１に記載の電源システムの安定装置。
【請求項３】
前記電圧安定ユニットがＩＣ、トランジスタ、ＭＯＳＦＥＴ、交換式電源、その他類型のレギュレータ回路のいずれかとすることができることを特徴とする、請求項１に記載の電源システムの安定装置。
【請求項４】
前記電源制御ユニットがトランジスタまたはＭＯＳＦＥＴのいずれかとすることができることを特徴とする、請求項１に記載の電源システムの安定装置。
【請求項５】
前記安定装置の電路がさらに制御デバイスユニットを含むことを特徴とする、請求項１に記載の電源システムの安定装置。
【考案の詳細な説明】
【技術分野】
【０００１】
本考案は安定装置に関し、特に、瞬時に負荷端の電源需要に足る電力を供給すると共に、余分な電源を阻隔する能力を備え、電力損耗が低い使用効率を追求し、かつ負荷を保護する電源システムの安定装置に関する。
【背景技術】
【０００２】
電力の運用は家電用品や日用品のみならず、駆動機械装置や交通輸送手段にも運用でき、特に交通輸送手段のバッテリーは発電動力の源であり、当然、自動車や自動二輪車の馬力と周辺電源の系統は大きく関係しており、かつ燃費等にも直接的関係があり、例えば原動機付自転車などは、自動車に比べてガソリンを節約でき、平均的原動機付自転車で１リットル当たり３０ｋｍ程度走行することができるが、長期的に見ると、石油価格が上昇を続けた場合、原動機付自転車でガソリン代を節約するといってもあまり賢い方法とはいえない。
【０００３】
しかしながら、多くの人が今後の石油市場を悲観し、車上のエンジンに逆電流等の燃費向上装置を取り付けており、この逆電流は発電装置が供給する電圧の干渉値を低くすることができるが、完全に干渉のない状態にすることはできず、安定性も悪い。
【０００４】
上述の従来の技術は小信号の電源で高消耗性の負荷を制御することが往々にして頭の痛い問題となり、多くの方法と部品を使ってやっと予期した動作を得ることができる。モニタリングと判断はできても、反応速度と供給能力が多くにおいて明らかに不足し、また消耗するエネルギーが多すぎて、極めて効率が低く、容易に負荷寿命を損耗してしまう。
【考案の概要】
【考案が解決しようとする課題】
【０００５】
本考案の主な目的は、瞬時に負荷端の電源需要に足る電力を供給すると共に、余分な電源を阻隔する能力を備え、電力損耗が低い使用効率を追求し、負荷を保護するという実用性と進歩性を達することができる、電源システムの安定装置を提供することにある。
【０００６】
本考案の別の目的は、前記電源システムの安定装置の電路がさらに少なくとも１つの第１濾波ユニットと少なくとも１つの第２濾波ユニットを含み、かつ前記安定装置の電路がさらに制御デバイスユニットを含むことができる、電源システムの安定装置を提供することにある。
【課題を解決するための手段】
【０００７】
本考案の電源システムの安定装置は、発電機ユニット及び電力ユニットの間に接続して設置され、前記安定装置の電路が、温度感知ユニット、電源制御ユニット、電圧安定ユニット、回路保護ユニットを含み、前記温度感知ユニットが前記電路上に設置されたデバイスの保護に用いられ、不適切な使用により発生する温度から回路を保護し、該前記温度感知ユニットが前記電源制御ユニットと接続され、前記電源制御ユニットが電源の制御に用いられ、前記電源制御ユニットが前記電圧安定ユニットと接続され、前記電圧安定ユニットが電圧の最大値を制限するために用いられ、電力ユニットが電圧の過大により損傷を受けるのを防止し、さらに前記電源制御ユニット及び前記電圧安定ユニットが前記回路保護ユニットと接続され、前記回路保護ユニットが電圧出力のショートまたは電源が逆接続されたときに保護するために用いられ、使用者が前記安定装置を前記発電機ユニット及び電力ユニットの間に接続したとき、上述の構成により瞬時に負荷端の電源需要に足る電力を供給すると共に、余分な電源を阻隔する能力を備え、かつ上述の構成内の電子デバイスは相互に入れ替えることができる。上述の技術により、従来の逆電流接続法に存在する小信号の電源で高消耗性の負荷を制御することが往々にして頭の痛い問題となり、多くの方法と部品を使ってやっと予期した動作を得ることができるという問題点、そしてモニタリングと判断はできても、反応速度と供給能力が多くにおいて明らかに不足し、また消耗するエネルギーが多すぎて、極めて効率が低く、容易に負荷寿命を損耗してしまうという問題点を打破することができる。
【考案の効果】
【０００８】
全部の図に示すように、本考案には次の利点が確実に存在する。温度感知ユニット３１、電源制御ユニット３２、電圧安定ユニット３３、回路保護ユニット３４の構成により、瞬時に負荷端の電源需要に足る電力を供給すると共に、余分な電源を阻隔する能力を備え、電力損耗が低い使用効率を追求し、負荷を保護する進歩性を備えている。
【図面の簡単な説明】
【０００９】
【図１】本考案の最良の実施例のブロック図である。
【図２】本考案の最良の実施例の電路図である。
【図３】本考案の最良の実施例の実施図である。
【図４】本考案の原始制御型の電路図１である。
【図５】本考案の原始制御型の電路図２である。
【図６】本考案の一定電圧安定型の電路図１である。
【図７】本考案の一定電圧安定型の電路図２である。
【図８】本考案の主要機能の局部電路図１である。
【図９】本考案の主要機能の局部電路図２である。
【図１０】本考案の主要機能の局部電路図３である。
【図１１】本考案の主要機能の局部電路図４である。
【考案を実施するための形態】
【００１０】
上述の目的と効果を達するため、以下、本考案が採用する技術手段及び構造について、図面と本考案の最良の実施例を参照してその特徴と機能を詳細に説明する。
【００１１】
図１と図２に、本考案の最良の実施例のブロック図と電路図をそれぞれ示す。これらの図からはっきりと分かるように、本考案の安定装置は発電機ユニットと電力ユニットの間に接続して設置され、前記発電機ユニットが電源入力ユニット１であり、前記電力ユニットが電源出力ユニット２であり、前記安定装置電路３が次を含む。
【００１２】
温度感知ユニット３１は、前記電路上に設置されたデバイスを保護するために用いられ、不適切な使用により発生する温度から回路を保護する。
【００１３】
電源制御ユニット３２は、前記温度感知ユニット３１と接続され、かつ電源制御に用いられる。該電源制御ユニット３２はトランジスタまたはＭＯＳＦＥＴのいずれかとすることができる。
【００１４】
電圧安定ユニット３３は、前記電源制御ユニット３２と接続され、かつ電圧の最大値を制御するために用いられる。該電圧安定ユニット３３は、ＩＣ、トランジスタ、ＭＯＳＦＥＴ、交換式電源、その他類型のレギュレータ回路のいずれかとすることができる。
【００１５】
回路保護ユニット３４は、前記電源制御ユニット３２及び前記電圧安定ユニット３３と接続され、電圧出力のショートまたは電源の逆接続時に保護する。
【００１６】
さらに、前記安定装置は電路上に少なくとも１つの第１濾波ユニット３５と少なくとも１つの第２濾波ユニット３６、及び制御デバイスユニットを含む。
【００１７】
上述の構造、構成設計に基づき、本考案の使用作動状況について以下で説明する。同時に図３の本考案の最良の実施例の実施図を参照する。この図からはっきりと分かるように、前記安定装置は発電機ユニット４及び電力ユニット４１の間に接続して設置される。該安定装置の電路３は温度感知ユニット３１、電源制御ユニット３２、電圧安定ユニット３３、回路保護ユニット３４を含み、前記温度感知ユニット３１は該電路上に設置されたデバイスの保護に用いられ、不適切な使用により発生する温度から回路を保護し、該温度感知ユニット３１は前記電源制御ユニット３２と接続され、該電源制御ユニット３２は電源制御に用いられる、前記電源制御ユニット３２は前記電圧安定ユニット３３と接続され、前記電圧安定ユニット３３は電圧の最大値の制限に用い、電力ユニット４１が電圧の過大により損傷を受けるのを防止することができる。さらに、前記電源制御ユニット３２及び前記電圧安定ユニット３３は前記回路保護ユニット３４と接続され、該回路保護ユニット３４は電圧出力のショートまたは電源が逆接続されたときの保護に用いられる。図３に示すように、前記安定装置は整流デバイスユニット４２が接続して設置され、該整流デバイスユニット４２は同時に前記発電機ユニット４に接続される。前記安定装置の出力端に電力システム４３が接続され、該電力システム４３はさらに前記電力ユニット４１と電気的に接続される。このため、これらの図に示すユニットの構造により、効果的に負荷端の電源需要に足る電力を瞬時に供給し、余分な電源を阻隔する能力を達することができ、自動車や自動二輪車はさらに燃料を節約し、出力馬力を高め、出力電力供給をより安定させる効果が得られる。
【００１８】
図４と図５に本考案の原始制御型の電路図１、２をそれぞれ示す。これらの図からはっきりと分かるように、その正入力電圧（＋Ｖｉ）５に印加できる電源形式は交流、直流、パルス等の正電源とすることができ、その特性はＣＶ５１の端点に印加できる電源形式が交流、直流、パルス等の正電源とすることができ、正出力電圧（＋Ｖｏ）５２の出力電源とＣＶ５１端点上に印加する電源の類型の変化を同じとし、目標負荷を動作に必要な電源に達させることができる。ダイオード（Ｄ３）５３と抵抗（Ｒ３）５４は正出力電圧（＋Ｖｏ）５２のショートまたは電源が逆接続されたときに保護する回路保護ユニット３４であり、図５から分かるように、その負入力電圧（−Ｖｉ）６に印加できる電源形式は交流、直流、パルス等の負電源とすることができ、その特性はＣＶ５１ａの端点に印加できる電源形式が交流、直流、パルス等の負電源とすることができ、負出力電圧（−Ｖｏ）６１の出力電源とＣＶ５１ａ端点上に印加する電源の類型の変化を同じとし、目標負荷を迅速に動作に必要な電源に達させることができる。ダイオード（Ｄ３）６２と抵抗（Ｒ３）６３は負出力電圧（−Ｖｏ）６１のショートまたは電源が逆接続されたときに保護する回路保護ユニット３４ａである。
【００１９】
図６と図７に本考案の一定電圧安定型の電路図１と２をそれぞれ示す。図６からはっきりと分かるように、その正入力電圧（＋Ｖｉ）５に印加できる電源の形式は交流、直流、パルス等の正電源とすることができ、その特性は正入力電圧（＋Ｖｉ）５の電源が一定の電圧安定制限を超過すると、正出力電圧（＋Ｖｏ）５２の部分が設定された電圧上に安定し、かつ目標負荷を迅速に動作の電源需要に等しくさせることができる。キャパシタ（Ｃ１）は一次濾波（第１濾波ユニット３５）、インダクタ（Ｌ１）とキャパシタ（Ｃ２）は二次濾波（第２濾波ユニット３６）である。抵抗（Ｒ２）とダイオード（Ｄ１）は電圧安定ユニット３３であり、ダイオード（Ｄ２）、ダイオード（Ｄ３）、抵抗（Ｒ３）は正出力電圧（＋Ｖｏ）５２のショートまたは電源が逆接続されたときに保護する回路保護ユニット３４ｂである。図７から分かるように、その負入力電圧（−Ｖｉ）６ａに印加できる電源形式は交流、直流、パルス等の正電源とすることができ、その特性は負入力電圧（−Ｖｉ）６ａの電源が一定の電圧安定制限を超過すると、負出力電圧（−Ｖｏ）６１ａの部分が設定された電圧上に安定し、かつ目標負荷を迅速に動作の電源需要に等しくさせることができる。キャパシタ（Ｃ１）が一次濾波（第１濾波ユニット３５ａ）、インダクタ（Ｌ１）とキャパシタ（Ｃ２）が二次濾波（第２濾波ユニット３６ａ）である。抵抗（Ｒ２）とダイオード（Ｄ１）が電圧安定ユニット３３ａである。ダイオード（Ｄ２）、ダイオード（Ｄ３）、抵抗（Ｒ３）は負出力電圧（−Ｖｏ）６１ａのショートまたは電源が逆接続されたときに保護する回路保護ユニット３４ｃである。
【００２０】
図８から図１１に本考案の主要機能の局部電路図１から４をそれぞれ示す。これらの図からはっきりと分かるように、抵抗（Ｒ１）７、トランジスタ（Ｑ１）７１、７１ａ、トランジスタ（Ｑ２）７２、７２ａの組み合わせ方式は、瞬時に負荷端の電源需要に足る電力を供給することができ、かつ余分な電源を阻隔する能力を備えている。抵抗（Ｒ１）７、インダクタ（Ｌ１）７３、７３ａは変化・調整して応用するとき、互換使用が可能であり、同時に同じ部品を使用することもできる。その変化と組み合わせは多様な電路を派生させることができ、図１０、図１１に示すように、電圧安定ユニット３３ｂ、３３ｃの部分はレギュレータのＩＣ、トランジスタ、ＭＯＳＦＥＴ、交換式電源、またはその他類型のレギュレータ回路等とすることができる。トランジスタ（Ｑ１）７１、７１ａとトランジスタ（Ｑ２）７２、７２ａはトランジスタの設計であり、ＭＯＳＦＥＴ等のデバイスに変えることもできる。図８と図９に示すように、その温度感知ユニット３１ａ、３１ｂの部分は、トランジスタ（Ｑ２）７２、７２ａを保護し、使用者の不適切な使用により発生する温度から回路を保護する。図中のすべてのデバイスの数値及び数量は設計の変化に基づき調整することができる。
【符号の説明】
【００２１】
１      電源入力ユニット
２      電源出力ユニット
３      安定装置電路
３１、３１ａ、３１ｂ    温度感知ユニット
３２    電源制御ユニット
３３、３３ａ、３３ｂ、３３ｃ    電圧安定ユニット
３４、３４ｂ、３４ａ    回路保護ユニット
３５、３５ａ    第１濾波ユニット
３６、３６ａ    第２濾波ユニット
４      発電機ユニット
４１    電力ユニット
４２    整流デバイスユニット
４３    電力システム
５      正入力電圧（＋Ｖｉ）
５１、５１ａ    ＣＶ
５２    正出力電圧（＋Ｖｏ）
５３    ダイオード（Ｄ３）
５４    抵抗（Ｒ３）
６、６ａ    負入力電圧（−Ｖｉ）
６１、６１ａ    負出力電圧（−Ｖｏ）
６２    ダイオード（Ｄ３）
６３    抵抗（Ｒ３）
７      抵抗（Ｒ１）
７１    トランジスタ（Ｑ１）
７２、７２ａ    トランジスタ（Ｑ２）
７３、７３ａ    インダクタ（Ｌ１）
【図１】
0003154611.tif 000003
【図２】
0003154611.tif 000004
【図３】
0003154611.tif 000005
【図４】
0003154611.tif 000006
【図５】
0003154611.tif 000007
【図６】
0003154611.tif 000008
【図７】
0003154611.tif 000009
【図８】
0003154611.tif 000010
【図９】
0003154611.tif 000011
【図１０】
0003154611.tif 000012
【図１１】
0003154611.tif 000013